(57)【要約】【課題】電力の浪費を抑制できる携帯電話機１を提供する。【解決手段】携帯電話機１は、光を発することにより報知を行う第１の発光部２３と、第１の発光部２３とは異なる位置に設けられた第２の発光部と、第１の発光部２３および第２の発光部を制御する制御部１００と、第１の発光部２３が隠れていることを検出する検出部を備える。ここで、制御部１００は、第１の発光部２３が隠れていることが検出部により検出されたとき、第１の発光部２３による発光を行なわずに、第２の発光部による発光を行う制御を実行する。【選択図】図２
2012080368.tif 000002
【特許請求の範囲】
【請求項１】
光を発することにより報知を行う第１の発光部と、
前記第１の発光部とは異なる位置に設けられた第２の発光部と、
前記第１の発光部および前記第２の発光部を制御する制御部と、
前記第１の発光部が隠れていることを検出する検出部と、を備え、
前記制御部は、前記第１の発光部が隠れていることが前記検出部により検出されたとき、前記第１の発光部による発光を行なわずに、前記第２の発光部による発光を行う制御を実行する、
ことを特徴とする携帯端末装置。
【請求項２】
請求項１に記載の携帯端末装置において、
前記検出部は、前記第１の発光部の向きを検出するための方向検出部と、前記方向検出部の出力に基づいて、前記第１の発光部が下を向くか否かを判断する判断部とを含み、
前記検出部は、前記判断部により前記第１の発光部が下を向くと判断された場合、前記第１の発光部が隠れていることを検出する、
ことを特徴とする携帯端末装置。
【請求項３】
請求項１に記載の携帯端末装置において、
前記検出部は、前記第１の発光部に近接する物を検出する近接検出部を含み、
前記検出部は、前記近接検出部により前記近接物が検出された場合、前記第１の発光部が隠れていることを検出する、
ことを特徴とする携帯端末装置。
【請求項４】
請求項１に記載の携帯端末装置において、
折り畳み可能に連結された第１キャビネットおよび第２キャビネットをさらに備え、
前記検出部は、前記第１キャビネットおよび前記第２キャビネットの開閉を検出する開閉検出部を含み、
前記第１の発光部は、前記第１キャビネットにおける、折りたたまれた状態で外部に露出する面に配され、
前記検出部は、前記開閉検出部により前記第２キャビネットが前記第１キャビネットに対して開かれたことが検出された場合、前記第１の発光部が隠れていることを検出する、ことを特徴とする携帯端末装置。
【請求項５】
請求項２に記載の携帯端末装置において、
折り畳み可能に連結された第１キャビネットおよび第２キャビネットと、
前記第１キャビネットおよび前記第２キャビネットの開閉を検出する開閉検出部と、をさらに備え、
前記第１の発光部は、前記第１キャビネットおよび前記第２キャビネットのうち一方のキャビネットにおける、折りたたまれた状態で外部に露出する面に設けられ、
前記第２の発光部は、前記第１キャビネットおよび前記第２キャビネットのうち他方のキャビネットにおける、折りたたまれた状態で外部に露出する面に設けられる第３の発光部と、前記一方のキャビネットにおける前記第１の発光部が設けられる面と反対の面または前記他方のキャビネットにおける前記第３の発光部が設けられる面と反対の面に設けられる第４の発光部とを含み、
前記検出部により前記第１の発光部が隠れていることが検出された場合、前記制御部は、前記開閉検出部により前記第２キャビネットが前記第１キャビネットに対して閉じられていることが検出されれば、前記第３の発光部による発光を行う制御を実行し、前記開閉検出部により前記第２キャビネットが前記第１キャビネットに対して開かれていることが検出されていれば、前記第４の発光部による発光を行う制御を実行する、
ことを特徴とする携帯電話機。
【請求項６】
外部に対して報知を行う第１の報知部と、
前記第１の報知部とは異なる位置に設けられ、外部に対して報知を行う第２の報知部と、
前記第１の報知部および前記第２の報知部を制御する制御部と、
前記第１の報知部が隠れていることを検出する検出部と、を備え、
前記制御部は、前記第１の報知部が隠れていることが前記検出部により検出されたとき、前記第１の報知部による報知を行なわずに、前記第２の報知部による報知を行う制御を実行する、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯電話機には、電話やメールの着信があったことを、ＬＥＤ等の発光部から出力される光によって報知するための構成が装備されている。この構成では、たとえば、発光部が点滅することにより、電話やメールの着信があったことがユーザに報知される。発光部は、電話やメールの着信時に点滅し、ユーザが電話やメールの着信に応答しないと、その後も点滅する。不応答後の点滅は、ユーザが、着信を確認するための操作等、所定の操作を行うまでの間、継続して行われる。
【０００３】
また、携帯電話機では、通話や通信を行える時間を引き延ばすために、携帯電話機における消費電力を抑制することが課題となっている。これについて、消費電力を低減する機能が設けられた携帯電話機が知られている。この種の携帯電話機では、たとえば、電池残量が少なくなると、表示部、バックライトおよび着信を報知する発光部（ＬＥＤ）などへの電力供給が停止される（たとえば、特許文献１参照）。
【先行技術文献】
【特許文献】
【０００４】
【特許文献１】特開２０００−２５３１４２号公報
【発明の概要】
【発明が解決しようとする課題】
【０００５】
上記のように発光部からの光によって着信等が報知される構成では、発光部からの光がユーザに届かないことが起こり得る。たとえば、携帯電話機が机等に置かれた場合、着信を報知する発光部が配された面が机に伏せられると、発光部がユーザから見えない状態となる。このような状態で発光部が点灯しても、ユーザは発光部の点灯に気付かない。
【０００６】
しかし、このような場合も、上記の構成では、ユーザには発光部の点灯が見えない状態であっても発光部が点灯するため、その分、無駄な電力が浪費されてしまう。
【０００７】
本発明は、かかる課題に鑑みてなされたものであり、電力の浪費を抑制できる携帯端末装置を提供することを目的とする。
【課題を解決するための手段】
【０００８】
本発明の携帯端末装置は、光を発することにより報知を行う第１の発光部と、前記第１の発光部とは異なる位置に設けられた第２の発光部と、前記第１の発光部および前記第２の発光部を制御する制御部と、前記第１の発光部が隠れていることを検出する検出部と、を備える。ここで、前記制御部は、前記第１の発光部が隠れていることが前記検出部により検出されたとき、前記第１の発光部による発光を行なわずに、前記第２の発光部による発光を行う制御を実行する。
【０００９】
本態様に係る携帯端末装置において、前記検出部は、前記第１の発光部の向きを検出するための方向検出部と、前記方向検出部の出力に基づいて、前記第１の発光部が下を向くか否かを判断する判断部とを含み得る。ここで、前記検出部は、前記判断部により前記第１の発光部が下を向くと判断された場合、前記第１の発光部が隠れていることを検出する
。前記検出部は、前記第１の発光部に近接する物を検出する近接検出部を含み得る。ここで、前記検出部は、前記近接検出部により前記近接物が検出された場合、前記第１の発光部が隠れていることを検出する。
【００１０】
本態様に係る携帯端末装置において、折り畳み可能に連結された第１キャビネットおよび第２キャビネットをさらに備え得る。ここで、前記検出部は、前記第１キャビネットおよび前記第２キャビネットの開閉を検出する開閉検出部を含み、前記第１の発光部は、前記第１キャビネットにおける、折りたたまれた状態で外部に露出する面に配され、前記検出部は、前記開閉検出部により前記第２キャビネットが前記第１キャビネットに対して開かれたことが検出された場合、前記第１の発光部が隠れていることを検出する。
【００１１】
本態様に係る携帯端末装置において、折り畳み可能に連結された第１キャビネットおよび第２キャビネットと、前記第１キャビネットおよび前記第２キャビネットの開閉を検出する開閉検出部と、をさらに備え得る。ここで、前記第１の発光部は、前記第１キャビネットおよび前記第２キャビネットのうち一方のキャビネットにおける、折りたたまれた状態で外部に露出する面に設けられ、前記第２の発光部は、前記第１キャビネットおよび前記第２キャビネットのうち他方のキャビネットにおける、折りたたまれた状態で外部に露出する面に設けられる第３の発光部と、前記一方のキャビネットにおける前記第１の発光部が設けられる面と反対の面または前記他方のキャビネットにおける前記第３の発光部が設けられる面と反対の面に設けられる第４の発光部とを含み、前記検出部により前記第１の発光部が隠れていることが検出された場合、前記制御部は、前記開閉検出部により前記第２キャビネットが前記第１キャビネットに対して閉じられていることが検出されれば、前記第３の発光部による発光を行う制御を実行し、前記開閉検出部により前記第２キャビネットが前記第１キャビネットに対して開かれていることが検出されていれば、前記第４の発光部による発光を行う制御を実行する。
【００１２】
本発明の携帯端末装置は、外部に対して報知を行う第１の報知部と、前記第１の報知部とは異なる位置に設けられ、外部に対して報知を行う第２の報知部と、前記第１の報知部および前記第２の報知部を制御する制御部と、前記第１の報知部が隠れていることを検出する検出部と、を備える。ここで、前記制御部は、前記第１の報知部が隠れていることが前記検出部により検出されたとき、前記第１の報知部による報知を行なわずに、前記第２の報知部による報知を行う制御を実行する。
【発明の効果】
【００１３】
本発明によれば、電力の浪費を抑制できる携帯端末装置を提供することができる。
【００１４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１５】
【図１】実施の形態に係る携帯電話機の外観構成を示す図である。
【図２】実施の形態に係る携帯電話機の外観構成を示す図である。
【図３】実施の形態に係る携帯電話機の全体構成を示すブロック図である。
【図４】実施の形態に係る着信ランプを制御する処理手順を示すフローチャートである。
【図５】実施の形態に係る携帯電話機の全体構成を示すブロック図である。
【図６】実施の形態に係る着信ランプを制御する処理手順を示すフローチャートである。
【図７】実施の形態に係る携帯電話機の全体構成を示すブロック図である。
【図８】実施の形態に係る着信ランプを制御する処理手順を示すフローチャートである。
【図９】実施の形態に係る着信ランプを制御する処理手順を示すフローチャート
【図１０】実施の形態に係る携帯電話機の外観構成を示す図である。
【図１１】実施の形態に係る着信ランプを制御する処理手順を示すフローチャートである。
【発明を実施するための形態】
【００１６】
以下、本発明の実施の形態について、図面を参照して説明する。図１は、第１キャビネット１０および第２キャビネット２０を並べて、開いた姿勢の携帯電話機１の外観構成を示す。図１（ａ）は携帯電話機１の正面側を示し、図１（ｂ）は携帯電話機１の背面側をします。
【００１７】
携帯電話機１は、第１キャビネット１０および第２キャビネット２０を有する。第２キャビネット２０は、ヒンジ部３０によって、第１キャビネット１０に対し回転可能に連結されている。
【００１８】
第１キャビネット１０の正面には、キー操作部１１およびマイクロホン１２が設けられている。キー操作部１１には、カーソルキー、センターキー、各種の機能モードへの切替えキー、通話開始キー、通話終了キー、番号入力キーおよび文字入力キーなどの各種キーが配される。切替キーは、後述するメールキーを含む。各種キーの上面に入力される番号などの刻印が表示され、キーの上面は光透過性の樹脂により形成される。
【００１９】
第１キャビネット１０の背面には、カメラモジュール１３のレンズ窓１３ａおよびトーチライト１４が設けられている。トーチライト１４には、ＬＥＤなどが用いられる。トーチライト１４は、カメラモジュール１３により撮影される際に点灯される。また、トーチライト１４は、カメラモジュール１３のための機能とは別に、周囲を照明するために点灯される。
【００２０】
第２キャビネット２０の正面には、表示部２１の液晶パネル２１ａおよびスピーカ２２が配置されている。液晶パネル２１ａの正面には表示面２１ｂが設けられており、表示面２１ｂが外部に現れている。
【００２１】
第２キャビネット２０の背面には、着信ランプ２３が配置されている。着信ランプ２３は、着信に応じて光を発することにより報知する第１の発光部である。着信ランプ２３にはＬＥＤなどが用いられる。
【００２２】
ヒンジ部３０は、一対の回転軸３１および一対の軸受部３２を含む。回転軸３１は、第２キャビネット２０の連結側端部から左右に延びる。軸受部３２は、第１キャビネット１０の連結側端部に形成され、回転軸３１を受ける。
【００２３】
図２（ａ）は、開いた姿勢の携帯電話機１の側面側を示す。図２（ｂ）は、第１キャビネット１０および第２キャビネット２０を重ねて、閉じた姿勢の携帯電話機１の側面側を示す。
【００２４】
第１キャビネット１０において、キー操作部１１の背後には、バックライト装置（以下、「キーバックライト」と言う。）１５が配されている。キーバックライト１５は、光源となるＬＥＤを備え、キー操作部１１に光を供給する。これにより、光透過性のキー上面は、キーバックライト１５で照らされて光るため、ユーザは、周囲が暗くても上面の刻印を判別することができる。
【００２５】
第２キャビネット２０において、液晶パネル２１ａの背後には、バックライト装置（以下、「パネルバックライト」と言う。）２４が配されている。パネルバックライト２４は、光源となるＬＥＤを備え、液晶パネル２１ａに光を供給する。
【００２６】
このように、携帯電話機１において、携帯電話機１の各面には光る部分がある。つまり、第１キャビネット１０の正面にはキーバックライト１５により照明されるキー操作部１１が配置され、第１キャビネット１０の背面にはトーチライト１４が配置される。また、第２キャビネット２０の正面にはパネルバックライト２４により照明される表示面２１ｂが配置され、第２キャビネット２０の背面には着信ランプ２３が配置される。このように、トーチライト１４、キーバックライト１５およびパネルバックライト２４は、着信ランプ２３と異なる位置に設けられ、第２の発光部に相当する。
【００２７】
また、このような携帯電話機１は、閉じた姿勢および開いた姿勢の２つの姿勢を採る。これらの姿勢に応じて、外部に現れる面が異なる。このため、外部に現われる面に位置する光る部分はユーザから見えるが、それ以外の面に位置する光る部分はユーザから見えない。
【００２８】
具体的に、図２（ｂ）に示す閉じた姿勢では、第１キャビネット１０と第２キャビネット２０は、液晶パネル２１ａとキー操作部１１が向かい合うように折り畳まれる。よって、表示面２１ｂおよびキー操作部１１が携帯電話機１の内部に隠れる。一方、着信ランプ２３およびトーチライト１４は携帯電話機１の外部に現れる。しかしながら、着信ランプ２３とトーチライト１４とは携帯電話機１における反対の面に位置する。また、一般的に、第１キャビネット１０が第２キャビネット２０の下になるようにして、携帯電話機１は持たれたり机などに置かれたりする。このため、閉じた姿勢では、トーチライト１４が下を向いて隠れ、着信ランプ２３が上側を向きユーザから見える位置に現れる。
【００２９】
一方、第２キャビネット２０は、第１キャビネット１０に重なった状態から、回転軸３１を中心に回転させられる。これにより、図２（ａ）に示すように、第２キャビネット２０は第１キャビネット１０に並び、携帯電話機１が開いた姿勢になる。この開いた姿勢では、液晶パネル２１ａはキー操作部１１と同じ面に揃って、液晶パネル２１ａおよびキー操作部１１は外部に出現する。また、着信ランプ２３はトーチライト１４と同じ面に揃い、着信ランプ２３およびトーチライト１４は外部に出現する。液晶パネル２１ａおよびキー操作部１１が配置される面と、着信ランプ２３およびトーチライト１４が配置される面とは反対に位置する。一般的に、液晶パネル２１ａおよびキー操作部１１が配置される面が上を向くように、携帯電話機１は持たれたり机などに置かれたりする。このため、着信ランプ２３およびトーチライト１４が配置される面は下を向いて隠れ、液晶パネル２１ａおよびキー操作部１１が上を向きユーザから見える位置に現れる。
【００３０】
図３は、携帯電話機１の全体構成を示すブロック図である。
【００３１】
携帯電話機１は、上述した各構成要素の他、ＣＰＵ１００、メモリ１０１、通信モジュール１０２、キー入力回路１０３、映像エンコーダ１０４、音声エンコーダ１０５、光源駆動回路１０６、映像デコーダ１０７、音声デコーダ１０８および加速度センサ１０９を備える。
【００３２】
通信モジュール１０２は、ＣＰＵ１００からの情報を無線信号に変換し、アンテナ１０２ａを介して基地局へ送信する。また、通信モジュール１０２は、アンテナ１０２ａを介して受信した無線信号を情報に変換してＣＰＵ１００へ出力する。
【００３３】
カメラモジュール１３はＣＣＤ等の撮像素子を有する。カメラモジュール１３は、撮像素子から出力された撮像信号をデジタル化し、その撮像信号にガンマ補正等の各種補正を施して映像エンコーダ１０４へ出力する。映像エンコーダ１０４は、カメラモジュール１３からの撮像信号にエンコード処理を施してＣＰＵ１００へ出力する。
【００３４】
マイク１２は、集音した音声を音声信号に変換して音声エンコーダ１０５へ出力する。音声エンコーダ１０５は、マイク１２からのアナログの音声信号をデジタルの音声信号に変換するとともに、デジタルの音声信号にエンコード処理を施してＣＰＵ１００へ出力する。
【００３５】
キー入力回路１０３は、キー操作部１１の各キーが操作されたときに、各キーに応じた入力信号をＣＰＵ１００へ出力する。
【００３６】
加速度センサ１０９は、着信ランプ２３が設置されている面が向いている方向を検出するための方向検出部である。加速度センサ１０９は、図２（ａ）のＺ軸方向に生じる重力加速度を検出する。着信ランプ２３の設置面が水平であって鉛直方向の上側を向いている場合、重力加速度が＋１Ｇになる。一方、着信ランプ２３の設置面が水平であって鉛直方向の下側を向いている場合、重力加速度が−１Ｇになる。加速度センサ１０９は、検出した加速度に応じた加速度信号をＣＰＵ１００へ出力する。ここでは、Ｚ軸方向は、着信ランプ２３の設置面の法線方向を示す。
【００３７】
光源駆動回路１０６は、ＣＰＵ１００からの制御信号に応じた電圧信号を着信ランプ２３、トーチライト１４、キーバックライト１５およびパネルバックライト２４に供給する。着信ランプ２３、トーチライト１４、キーバックライト１５およびパネルバックライト２４は、それぞれ光源駆動回路１０６からの電圧信号により点灯したりおよび消灯したりする。
【００３８】
映像デコーダ１０７は、ＣＰＵ１００からの映像信号を液晶パネル２１ａで表示できるアナログ若しくはデジタルの映像信号に変換し、液晶パネル２１ａに出力する。液晶パネル２１ａは、映像信号に応じた画像を表示面２１ｂ上に表示する。
【００３９】
音声デコーダ１０８は、ＣＰＵ１００からの音声信号、および着信音やアラーム音等の各種報知音の音信号にデコード処理を施し、さらにアナログの音声信号および音信号に変換してスピーカ２２に出力する。スピーカ２２は、音声デコーダ１０８からの音声信号や音信号に基づいて音声や報知音などを再生する。
【００４０】
通信モジュール１０２は、ＣＰＵ１００からの音声信号や画像信号、テキスト信号などを無線信号に変換し、アンテナ１０２ａを介して基地局へ送信する。また、アンテナ１０２ａを介して受信した無線信号を音声信号や画像信号、テキスト信号などに変換してＣＰＵ１００へ出力する。
【００４１】
メモリ１０１は、ＲＯＭおよびＲＡＭを含む記憶部である。メモリ１０１には、ＣＰＵ１００に制御機能を付与するための制御プログラムが記憶されている。また、メモリ１０１には、カメラモジュール１３で撮影した画像情報や通信モジュール１０２を介して外部から取り込んだ画像情報およびテキスト情報などが所定のファイル形式で保存される。
【００４２】
ＣＰＵ１００は、キー入力回路１０３からの操作入力信号に基づき、制御プログラムに従って、マイク１２、通信モジュール１０２、液晶パネル２１ａ、キーバックライト１５、パネルバックライト２４およびスピーカ２２などを動作させる。これにより、通話機能および電子メール機能などの各種アプリケーションが実行される。
【００４３】
ＣＰＵ１００は、表示制御部として、映像デコーダ１０７および光源駆動回路１０６へ制御信号を出力する。これにより、ＣＰＵ１００は、液晶パネル２１ａおよびパネルバックライト２４を制御して、表示面２１ｂに画像を表示させる。
【００４４】
ＣＰＵ１００は、判断部として、加速度センサ１０９からの検出信号を受け、着信ランプ２３の設置面が下を向くか否かを判断する。また、ＣＰＵ１００は、この設置面が下を向くとの判断結果から着信ランプ２３が隠れていることを検出する。なお、着信ランプ２３の設置面の向きを判断する際に重力加速度±１Ｇから許容範囲：αＧを設けることができる。このため、重力加速度が第１閾値：（−１＋α）Ｇ以下であれば、ＣＰＵ１００は、着信ランプ２３の設置面が下を向いているとして、着信ランプ２３が隠れていると判断する。
【００４５】
ＣＰＵ１００は、通信モジュール１０２からの信号を受け、信号により着信を検知する。また、ＣＰＵ１００は、制御部として、着信の検知に応じて着信ランプ２３を発光しようとする際に、着信ランプ２３が隠れているか否かの判断結果に基づいて光源駆動回路１０６へ制御信号を出力する。これにより、ＣＰＵ１００は、着信ランプ２３、トーチライト１４、キーバックライト１５およびパネルバックライト２４の点灯と消灯とを制御する。たとえば、発光の際に着信ランプ２３が隠れていると判断されたとき、ＣＰＵ１００は、着信ランプ２３を点灯せず、着信ランプ２３以外の発光部を点灯する。なお、着信ランプ２３以外の発光部としては、トーチライト１４、キーバックライト１５およびパネルバックライト２４がある。
【００４６】
＜第１の実施形態の処理手順＞
図４は、着信を報知する処理手順を示すフローチャートである。
【００４７】
ＣＰＵ１００は、表示面２１ｂに操作メニューを表示する。ユーザは、キー操作部１１を操作して、操作メニューの中から着信ランプ２３を制御する機能を選択すると、この機能を実現するための制御プログラムが起動する。
【００４８】
通信モジュール１０２が電話の呼出信号や電子メールなどの通信情報を受け取ると、着信信号をＣＰＵ１００へ出力する。ＣＰＵ１００は、通信モジュール１０２から着信信号を受け、着信を検知する（Ｓ１０１：ＹＥＳ）。
【００４９】
次に、着信をユーザに報知する必要がある。しかし、着信ランプ２３が隠れていると、着信ランプ２３が点灯しても、着信ランプ２３の点灯が、ユーザには気付かれずに、無駄になってしまう。よって、着信ランプ２３が隠れているか否かを判断するために、ＣＰＵ１００は加速度センサ１０９から重力加速度を取得する（Ｓ１０２）。そして、ＣＰＵ１００は、重力加速度と閾値：（−１＋α）Ｇとを比較する（Ｓ１０３）。
【００５０】
図２（ｂ）に示すように、着信ランプ２３の設置面が上を向いていれば、ＣＰＵ１００は、重力加速度が閾値より大きいと判断する（Ｓ１０３：ＮＯ）。この場合、着信ランプ２３の設置面が上向きであるため、着信ランプ２３が隠れていない。よって、ＣＰＵ１００は、着信ランプ２３を点灯する（Ｓ１０４）。これにより、ユーザに着信が報知される。
【００５１】
一方、図２（ａ）に示すように、着信ランプ２３の設置面が下を向いていれば、ＣＰＵ１００は、重力加速度が閾値以下であると判断する（Ｓ１０３：ＹＥＳ）。このとき、ユーザが携帯電話機１を手に持ったり、机に置いたりすると、下を向く着信ランプ２３の設置面がユーザの手や机によって隠されてしまう。そこで、ＣＰＵ１００は、ユーザから隠
れている着信ランプ２３を点灯しない。また、トーチライト１４は隠れているが、キー操作部１１は、上側に現われている。このため、ＣＰＵ１００は、キーバックライト１５を点灯する（Ｓ１０５）。これにより、キー操作部１１が光る。ユーザから着信に基づく発光が見えるため、着信ランプ２３以外の発光部が光ることによって、ユーザに着信が報知される。
【００５２】
以上、本実施の形態によれば、着信ランプ２３が隠れている場合、着信ランプ２３は、着信を報知することができず、本来の機能を果たせない。このため、着信ランプ２３を点灯しないことで、着信ランプ２３を点灯するための無駄な電力消費を抑制することができる。また、このような状況では、着信ランプ２３以外の発光部が点灯するので、ユーザは着信があることを知ることができる。よって、ユーザに対する利便性を高めることができる。
【００５３】
＜第２実施形態＞
第１実施形態の携帯電話機１では、加速度センサ１０９からの検出信号に基づき着信ランプ２３が隠れているか否かを判断した。これに対し、第２実施形態の携帯電話機１では、近接センサ１１０からの検出信号に基づき着信ランプ２３が隠れているか否かを判断する。なお、第２実施形態の構成のうち第１実施形態の構成と同様なものには、同じ番号を付して、その説明を省略する。
【００５４】
図５は、携帯電話機１の全体構成を示すブロック図である。
【００５５】
近接センサ１１０は、第２キャビネット２０の背面において着信ランプ２３の近傍に設けられる。近接センサ１１０は、着信ランプ２３に近接または近傍に存在する被検出物を検出する。たとえば、近接センサ１１０は静電容量を測定しながら、静電容量と予め定められた閾値とを比較する。そして、被検出物が、近接センサ１１０に近づいたり、近接センサ１１０の近くに存在したりすると、静電容量が増加し、静電容量が閾値を越えるため、近接センサ１１０は検出信号をＣＰＵ１００へ出力する。一方、近接センサ１１０は、被検出物が離れ近傍に存在しなくなると、近接信号をＣＰＵ１００へ出力しなくなる。なお、近接センサ１１０は、静電容量式の近接センサ１１０に限られず、たとえば、超音波式や誘導形の近接センサ１１０や赤外線式の近接センサ１１０であっても良い。
【００５６】
図６は、着信を報知する処理手順を示すフローチャートである。図６の処理手順は、図４のフローチャートと同様の処理手順である。しかし、図６のＳ２０２が、図４のＳ１０２およびＳ１０３と異なる。このため、これ以外の処理についての説明は省略する。
【００５７】
たとえば、ユーザが、着信ランプ２３の設置面を下に向けて、携帯電話機１を手に持ったり、机に置いたりする。この場合、近接センサ１１０は着信ランプ２３に近接する手や机を検出し、検出信号をＣＰＵ１００へ出力する。ＣＰＵ１００は、近接センサ１１０から検出信号を受けて、着信ランプ２３はユーザの手や机により覆われて隠れていると判断する（Ｓ２０２：ＹＥＳ）。
【００５８】
一方、着信ランプ２３の設置面が上に向けられた状態では、携帯電話機１が手で持たれたり、机に置かれたりしても、着信ランプ２３に近接する被検出物が存在しない。このため、近接センサ１１０は検出信号をＣＰＵ１００へ出力しない。これにより、ＣＰＵ１００は、近接センサ１１０からの検出信号を受けておらず、着信ランプ２３は隠れていないと判断する（Ｓ２０２：ＮＯ）。
【００５９】
＜第３実施形態＞
第１実施形態の携帯電話機１では、加速度センサ１０９からの検出信号に基づき着信ラ
ンプ２３が隠れているか否かを判断した。これに対し、第３実施形態の携帯電話機１では、開閉センサ１１１からの検出信号に基づき着信ランプ２３が隠れているか否かを判断する。なお、第３実施形態の構成のうち第１実施形態の構成と同様なものには、同じ番号を付して、その説明を省略する。
【００６０】
図７は、携帯電話機１の全体構成を示すブロック図である。
【００６１】
開閉センサ１１１は、第１キャビネット１０の正面に設けられ、携帯電話機１が閉じられた姿勢で、磁石に近接する位置に配置される。磁石は、第２キャビネット２０の正面に設けられる。携帯電話機１が閉じられ、磁石が近傍に存在すると、開閉センサ１１１は、磁石の磁界を検出し、検出信号をＣＰＵ１００に出力する。反対に、携帯電話機１が開かれ、磁石が開閉センサ１１１から離れている場合、開閉センサ１１１は、磁石の磁界を検出せず、検出信号をＣＰＵ１００に出力しない。
【００６２】
図８は、着信を報知する処理手順を示すフローチャートである。図８の処理手順は、図４のフローチャートと同様の処理手順である。しかし、図８のＳ３０２が、図４のＳ１０２およびＳ１０３と異なる。このため、これ以外の処理についての説明は省略する。
【００６３】
図２（ａ）に示すように、一般的に、ユーザは、第１キャビネット１０を下側にして、携帯電話機１を持ったり机などに置いたりする。このため、携帯電話機１が開かれると、着信ランプ２３の設置面は下を向き、着信ランプ２３はユーザの手や机により覆われて隠される。よって、携帯電話機１は開いた姿勢を採っている場合、ＣＰＵ１００は、開閉センサ１１１から検出信号を受けておらず、着信ランプ２３は隠れていると判断する（Ｓ３０２：ＹＥＳ）。
【００６４】
一方、閉じた姿勢の携帯電話機１では、着信ランプ２３の設置面が上にくるため、着信ランプ２３は隠れない。このため、携帯電話機１が閉じた姿勢を採っている場合、ＣＰＵ１００は、開閉センサ１１１からの検出信号を受けており、着信ランプ２３は隠れていないと判断する（Ｓ３０２：ＮＯ）。
【００６５】
＜第４実施形態＞
第４実施形態の携帯電話機１は、第１実施形態と同様の加速度センサ１０９を備え、加速度センサ１０９センサからの検出信号に基づき着信ランプ２３が隠れているか否かを判断する。さらに、第４実施形態の携帯電話機１は、第３実施形態と同様の開閉センサ１１１を備え、開閉センサ１１１からの検出信号に基づき隠れていない発光部を求める。なお、第４実施形態の構成のうち第１および第３実施形態の構成と同様なものには、同じ番号を付して、その説明を省略する。
【００６６】
図９は、着信を報知する処理手順を示すフローチャートである。なお、図９のＳ４０１〜Ｓ４０４は図１のＳ１０１〜Ｓ１０４と同様であるため、これらの説明は省略する。
【００６７】
図１０（ａ）は、開いた姿勢の携帯電話機１の側面側を示す。図１０（ｂ）は、第１キャビネット１０および第２キャビネット２０を重ねて、閉じた姿勢の携帯電話機１の側面側を示す。
【００６８】
図２（ａ）および図２（ｂ）に示すように、開いた姿勢および閉じた姿勢のどちらにおいても、一般的に、第１キャビネット１０が第２キャビネット２０の下に配置された状態で、携帯電話機１が保持される。しかしながら、図１０（ａ）および図１０（ｂ）に示すように、第１キャビネット１０が第２キャビネット２０の上に配置された状態で、携帯電話機１を保持することもある。これにより、着信ランプ２３の設置面が下を向き、着信ラ
ンプ２３が隠れている場合、携帯電話機１の姿勢に応じて、外部に露出することによりユーザから見える発光部が異なる。
【００６９】
図２（ａ）に示すように、開いた姿勢では、キー操作部１１や表示面２１ｂが上に現れて外部に露出する。これに対し、図１０（ｂ）に示すように、閉じた姿勢では、トーチライト１４が上に現れて外部に露出する。このため、着信ランプ２３が隠れている状態で、携帯電話機１の姿勢を判断することにより、携帯電話機１の上に現れる部分がわかるため、ユーザから見える位置にある発光部を点灯させることができる。なお、トーチライト１４は携帯電話機１が折りたたまれた状態で外部に露出する面に設けられ、第３の発光部に相当する。また、表示面２１ｂを照明するパネルバックライト２４は、着信ランプ２３が設けられる面と反対の面に設けられ、第４の発光部に相当する。さらに、キー操作部１１を照明するキーバックライト１５は、トーチライト１４が設けられる面と反対の面に設けられ、第４の発光部に相当する。
【００７０】
よって、着信ランプ２３の設置面が下向きと判断された場合（Ｓ４０３：ＹＥＳ）、次に、ユーザから見える位置の発光部を見分けるために、携帯電話機１の姿勢を判断する。図２（ａ）に示すように、携帯電話機１が開いた姿勢であれば、開閉センサ１１１からの検出信号がＣＰＵ１００に入力されていないため、ＣＰＵ１００は、開閉センサ１１１からの検出信号がないと判断する（Ｓ４０５：ＮＯ）。この場合、着信ランプ２３の設置面が下向きであって、携帯電話機１が開いた姿勢であることから、認定キー操作部１１および表示面２１ｂが上を向き、ユーザからキー操作部１１および表示面２１ｂが見える。よって、ＣＰＵ１００は、キーバックライト１５を点灯する（Ｓ４０６）。これにより、ユーザはキー操作部１１からの光が見えて、着信があることを知ることができる。
【００７１】
一方、図１０（ｂ）に示すように、着信ランプ２３の設置面が下向きであって、携帯電話機１が閉じた姿勢であれば、開閉センサ１１１からの検出信号がＣＰＵ１００に入力されているため、ＣＰＵ１００は、開閉センサ１１１からの検出信号があると判断する（Ｓ４０５：ＹＥＳ）。この場合、着信ランプ２３の設置面が下向きであって、キー操作部１１および表示面２１ｂが内部に隠れ、トーチライト１４が上側に現れる。このため、ＣＰＵ１００は、トーチライト１４を点灯する（Ｓ４０４）。これにより、ユーザからトーチライト１４からの光が見えて、着信が報知される。
【００７２】
以上、本実施の形態によれば、加速度センサ１０９からの検出信号に加えて開閉センサ１１１からの検出信号により、携帯電話機１の上側に位置する発光部がわかる。着信の際に、上側にある発光部が点灯されると、発光部からの光がユーザに見える。このため、着信がユーザにより確実に報知される。
【００７３】
＜その他の実施形態＞
以上、本発明の実施の形態について説明したが、本発明は、上記実施の形態によって何ら制限されるものではなく、また、本発明の実施の形態も、上記以外に種々の変更が可能である。
【００７４】
第２実施形態の携帯電話機１では、１つの近接センサ１１０を着信ランプ２３の近傍に設けたが、別の近接センサをさらに設けることもできる。１つの近接センサ１１０では、着信ランプ２３の近傍にユーザの手などがたまたまかかっているだけのことがある。よって、着信ランプ２３を間に挟むように２つの近接センサ１１０を第２キャビネット２０の背面に設けることもできる。これにより、２つの近接センサ１１０が被検出物を検出した際に、ＣＰＵ１００は着信ランプ２３が隠れていると判断ことで、より確実な判断結果が得られる。
【００７５】
第２実施形態の携帯電話機１では、近接センサ１１０を着信ランプ２３の近傍に設けたが、この近接センサ１１０に加えて照度センサを設けることもできる。照度センサは、第２キャビネット２０の背面において着信ランプ２３の近傍に設けられ、着信ランプ２３の近傍の照度を測定する。ここで、着信ランプ２３がユーザの手や机などに覆われていると、着信ランプ２３の側に被検出物が存在し、着信ランプ２３の周囲が暗い。このため、ＣＰＵ１００は、近接センサ１１０からの検出信号を受け、かつ照度センサからの照度が予め定められた閾値より小さいと判定し、着信ランプ２３が隠れていると判断する。これにより、着信ランプ２３が隠れているか否かをより確実に判断することができる。
【００７６】
上記実施形態の携帯電話機１では、着信の際に着信ランプ２３が隠れる場合に着信ランプ２３以外の発光部を点灯することで、着信が報知された。これに対し、図１１に示すように、着信ランプ２３が隠れている場合に着信の際に着信ランプ２３を点灯せず、その後に着信ランプ２３が見えるようになった段階で着信ランプ２３を点灯することで、着信を報知することもできる。この場合、図１１のＳ５０１〜Ｓ５０４はそれぞれ図１のＳ１０１〜Ｓ１０４と同様であるため、説明は省略する。着信があったときに重力加速度が閾値以下である場合、着信ランプ２３の設置面は下向きであるため、着信ランプ２３は隠れている（Ｓ５０３：ＹＥＳ）。そこで、ＣＰＵ１００は、着信があった旨をメモリ１０１に記憶する（Ｓ５０５）。このときは、ＣＰＵ１００は、着信ランプ２３を点灯しない。そして、ＣＰＵ１００は、加速度センサ１０９から重力加速度を取得する（Ｓ５０６）。ＣＰＵ１００は、重力加速度が閾値より大きくなり（Ｓ５０７）、着信ランプ２３の設置面が上を向くことを待つ。着信ランプ２３の設置面が上向きになると、ＣＰＵ１００は、重力加速度が閾値より大きくなったと判断する（Ｓ５０７：ＹＥＳ）。これに応じて、ＣＰＵ１００は、着信ランプ２３を点灯する（Ｓ５０４）。この着信ランプ２３は携帯電話機１の上側に表れていることで、着信ランプ２３の光がユーザから見えて、ユーザは着信があることを知ることができる。
【００７７】
上記実施形態の携帯電話機１では、着信ランプ２３を第２キャビネット２０の背面に設けたが、着信ランプ２３の設置面はこれに限定されない。たとえば、第１キャビネット１０や第２キャビネット２０の端面や側面、または第１キャビネット１０の背面に設けてもよい。
【００７８】
上記実施形態の携帯電話機１では、開いた姿勢において、着信ランプ２３が隠れている場合に、キーバックライト１５を点灯したが、パネルバックライト２４を点灯することもできる。
【００７９】
上記実施形態の携帯電話機１では、開いた姿勢において、着信ランプ２３が隠れている場合に、キーバックライト１５を点灯した。このとき、電話の呼出信号の着信では、通話開始キーを点灯させ、電子メールの着信では、メールキーを点灯させることもできる。この場合、複数のキーバックライト１５を用い、通話開始キーとメールキーとの背後には別々のキーバックライト１５を設ける。これにより、点灯するキーの違いにより、着信の種類を簡単に見分けることができる。
【００８０】
上記実施形態の携帯電話機１では、着信ランプ２３が隠れている場合に、キーバックライト１５など隠れていない発光部を判断して点灯した。これに対し、着信ランプ２３が隠れている場合に点灯する発光部をユーザが予め定めることもできる。
【００８１】
上記実施形態の携帯電話機１では、トーチライト１４、キーバックライト１５、着信ランプ２３およびパネルバックライト２４の４つの発光部が、第１キャビネット１０および第２キャビネット２０の各面に設けられる。これに対して、これら４つの発光部の全てを設けなくてもよい。たとえば、着信ランプ２３およびパネルバックライト２４がそれぞれ
第１キャビネット１０の正面および第２キャビネット２０の正面に設けられてもよい。携帯電話機１が折り畳まれたり、各キャビネット１０、２０の正面が下向きに配置されたりすると、全ての発光部が外部から見えなくなる。この場合、ユーザが予め定めた報知方法によって報知を行う。ユーザが予め定めた報知方法としては、たとえば、スピーカから音を出力することによる報知、振動部が振動することによる報知などが挙げられる。なお、全ての発光部が外部から見えなくなった場合には、報知を行わないこととしてもよい。
【００８２】
上記実施形態の携帯電話機１では、着信ランプ２３などの発光部を制御したが、発光部と共に発光部以外の報知部を制御することもできる。発光部以外の報知部として、スピーカなどが挙げられる。たとえば、着信などを報知するスピーカが携帯電話機１に設けられている。着信の際にスピーカが隠れている場合に、スピーカとは異なる位置に設けられた発光部を点灯することにより、着信があることがユーザに報知される。また、発光部に代えて発光部以外の報知部を制御することもできる。この場合、携帯電話機１には、着信などを報知する報知用スピーカとは別に、報知用スピーカとは異なる位置に１つまたは複数のスピーカが設けられる。着信の際に報知用スピーカが隠れていると、報知用スピーカ以外のスピーカから音が出力される。これにより、報知があることをユーザに確実に知らせることができる。
【００８３】
上記実施形態の携帯電話機１では、ユーザがキー操作部１１を操作することにより、着信ランプ２３の点灯制限機能が開始されたり、終了されたりした。これに加えて、本機能の開始時刻および終了時刻を設定することもできる。この場合、本機能の終了時刻から開始時刻までの間は、着信ランプ２３の点灯が制限されない。
【００８４】
上記実施形態の携帯電話機１では、ユーザがキー操作部１１を操作することにより、着信ランプ２３の制限機能が開始されたり、終了されたりする。これに対し、着信音を鳴らさないマナーモードが設定されている場合に、着信ランプ２３の点灯制限機能を実行するようにすることもできる。
【００８５】
なお、電話やメールの着信にユーザが応答しなかった場合には、着信があったことを報知させるために、着信ランプ２３が点滅される。本発明は、このように不応答後に行われる着信ランプ２３の動作制御にも適用可能である。たとえば、不応答後において、図４のＳ１０２以降の処理が実行され、着信ランプ２３または着信ランプ２３以外の発光部が点滅される。
【００８６】
上記実施形態の携帯電話機１では、電話の呼出信号や電子メールなどの着信を報知する際に、着信ランプ２３などの発光部を制御した。これに対し、通信情報の着信の報知に限らず、発光部を発光させることにより報知する様々な機能に、発光部の制御を適用できる。たとえば、メールを送信中であることの報知、メールの送信が完了したことの報知、通話中であることを第三者に知らせるための報知、アラーム時刻が到来したことの報知、記憶した音声が再生中であることの報知などに、発光部の制御が適用される。
【００８７】
上記実施形態では、折り畳み式の携帯電話機１を用いたが、スライド式やストレート型などの携帯電話機を用いることもできる。
【００８８】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【００８９】
１  携帯電話機
２０  第１キャビネット
１４  トーチライト
１５  キーバックライト
２０  第２キャビネット
２３  着信ランプ
２４  パネルバックライト
１００  ＣＰＵ
１０９  加速度センサ
１１０  近接センサ
１１１  開閉センサ
【図１】
2012080368.tif 000003
【図２】
2012080368.tif 000004
【図３】
2012080368.tif 000005
【図４】
2012080368.tif 000006
【図５】
2012080368.tif 000007
【図６】
2012080368.tif 000008
【図７】
2012080368.tif 000009
【図８】
2012080368.tif 000010
【図９】
2012080368.tif 000011
【図１０】
2012080368.tif 000012
【図１１】
2012080368.tif 000013